(57)【要約】【課題】誘電性もしくは導電性電波吸収体を電波暗室の内壁面および天井面などに、作業現場に特別な長時間固定用足場や固定台を作る必要が無く、少人数で簡単に短時間で確実に取付けられるようにする事。【解決手段】電波暗室を作る場合、金属板等で電磁遮蔽された室内の壁面及び天井面に、取付補助具を直接またはフェライトタイルのパネルと共に一定間隔でビスで固定し、略ピラミッド形状もしくはくさび形状の電波吸収体低端に概取付補助具基部の４辺の内少なくても２辺以上に相対位置変更可能に連結する連結手段で連結した側板を挿着又は覆設し、概電波吸収体と本発明の取付補助具を固定ピンを用いて取付けるようにした物で、概取付補助具は輸送時には平板形状をしており、工事施工現場にて簡単に組み立てる事ができるような構造になっている【選択図】      図１
2005032781.tif 000002
【特許請求の範囲】
【請求項１】
電波暗室などに用いる誘電性電波吸収体及び、導電性電波吸収体を壁面並びに天井面等に取付ける時に用いる取付補助具において、該取付補助具の基部は平板で略正方形もしくは長方形をしており、壁面もしくは天井面に取付けるための取付け孔が複数設けられており、該取付補助具の４辺の内少なくても２辺以上に相対位置変更可能に連結する連結手段で連結した側板を設け、側板には前記電波吸収体を取付ける固定孔が１つ以上設けてあり、該固定孔に固定ピンを差込、上記電波吸収体を固着することを特徴とする電波吸収体取付補助具
【請求項２】
電波暗室などに用いる誘電性電波吸収体で１つ以上のピラミッド形状もしくはクサビ状の電波吸収体を壁面並びに天井面に取付ける時に用いる取付補助具において、該取付補助具の基部は平板で略正方形もしくは長方形をしており、壁面もしくは天井面に取付けるための取付け孔が複数設けられており、該取付補助具の４辺の内少なくとも２辺以上には、相対位置回転可能に連結する連結手段で連結した側板を設け、側板には前記電波吸収体を取付ける固定孔が１つ以上設けてあり、該取付補助具の側板は上記電波吸収体のピラミッドもしくはクサビ形状の下端部を覆うようにしており、前記固定孔より該電波吸収体に固定ピンを差込み固着することを特徴とする電波吸収体取付補助具
【請求項３】
電波暗室などに用いる導電性材料を用いた略中空の１つ以上のピラミッド形状もしくはクサビ状の電波吸収体を壁面並びに天井面に取付ける時に用いる取付補助具において、該取付補助具の基部は平板で略正方形もしくは長方形をしており、壁面または天井面に取付けるための取付け孔が複数設けられており、該取付補助具の４辺の内少なくとも２辺以上には、相対位置回転可能に連結する連結手段で連結した側板を設け、側板には電波吸収体を取付ける固定孔が１つ以上設けてあり、該取付補助具の側板は上記電波吸収体下端中空部に挿着され、かつ前記電波吸収体の下端部付近に設けた孔から前記取付け補助具の側板の固定孔に固定ピンを差込、固着することを特徴とする電波吸収体取付補助具
【請求項４】
不燃性の板材の上にカーボン皮膜を貼り付けた略三角形もしくは台形の２対のパネルを略ピラミッド形状のもしくはくさび形状に組立てて、電磁波を吸収する電波吸収体において、該パネルの略三角形もしくは台形の底辺付近には電波吸収体取付補助具の固定孔に勘合するするための孔を設けた電波吸収体を用いた請求項３項の電波吸収体取付補助具
【発明の詳細な説明】
【発明の属する技術分野】
【０００１】
電子機器の特性測定や電子部品のＥＭＣ（Ｅｌｅｃｔｏｒｏ  Ｍａｇｎｅｔｉｃ  Ｃｏｍｐａｔｉｂｉｌｉｔｙ）評価試験を屋内で行うための電波暗室は電磁遮蔽された室内の壁面並びに天井面に誘電性電波吸収体や導電性電波吸収体を磁性吸収材料と組み合わせた物が取付けられており、本発明は該電波吸収体の取付けに関するものである。
【背景技術】
【０００２】
従来の電波吸収体の取付方法は特開平６−２７５９８１に示されているように接着剤等で接合固着するのが一般的であり、また特開平７−７９０８７に示されているように導電性の固定用部材に強化プラスチックのボルトとナットを用い固定するか、特願平１０−２８７５０に示されるようなガイド板部の固定治具と位置決め治具を用いかつ電波吸収体頂部開孔から突出させた支持用ロッドを用い取付けたものがある。
【特許文献１】特開平６−２７５９８１
【特許文献２】特開平７−７９０８７
【特許文献３】特開平９−３１２４９１
【特許文献４】特願平１０−２８７５０
【特許文献５】特願平１１−５３８１４６
【従来の技術】
【０００３】
電波暗室に取付ける電波吸収体は、電磁遮蔽された室内の壁面並びに天井面に電波吸収体を電磁的に隙間無く取付けて使用される。概電波暗室は電子機器からふく射される電磁波のレベルを測定する事と、外部からの電磁波で電子機器が誤動作しないことを確認するための一定の電界強度を電子機器に加える為に、電波吸収体を室内の天井、壁面に取付けている。
【０００４】
壁面や天井に損失誘電体でできた誘電性電波吸収体もしくは抵抗皮膜などでできた導電性電波吸収体を取付けるときは接着剤で接着固定することがほとんどであったが、一部では上記従来技術の様に、ボルトで導電性の固定台に取付けたり、支持用ロッドを用いネジで固定していた。
【発明が解決しようとする課題】
【０００５】
しかし、低周波帯域から使用する誘電性電波吸収体ではピラミッドの高さが２ｍ以上あるものを使用する場合があり、この様な電波吸収体を固定する為の接着には接着が完全に固着されるまで、壁面の場合には棚状の支えを設け、また天井の場合には床からやぐらを組んで支えをしなければならなかった。
【０００６】
しかし、このような接着では、乾燥固着までに大幅な時間を要し、かつ専用の棚ややぐらが必要であり、専門家でない一般の作業者では施工できなかった。
【０００７】
また、電波暗室を使用する人が出入りする時や、測定中に概電波吸収体を損傷したときは交換修理しなければならなくなる、しかしこの様な場合は接着された部分を剥し、かつ新しい電波吸収体を接着する為、固定するまでの支えを専用に準備しなければならなかった。
【０００８】
その為接着が終わるまでの時間電波暗室を使用できなくなるという欠点があり、また、接着では接着力が衰え、脱落する危険があり、長期間の耐久性が保証できるかという問題も生じていた。
【０００９】
また、導電性の固定用部材と多角錘状をなしたる殻体とを直接ボルトで固定する場合は殻体の構造設計上無理があり、導電性皮膜で覆った電波吸収体の様に薄板形状では設計が制約されてしまうとう問題があった。
【００１０】
また、他の取付方法として引例にあげたような電波吸収体頂部開孔から突出させた支持用ロッドを壁面に固定することは煩雑であり、低い周波数帯域からの電波暗室では４５０ｍｍ以上の長尺ロッドを使わなければならない問題があった。
【課題を解決するための手段】
【００１１】
そこで、この様な電波暗室で使用する電波吸収体を壁面及び天井面に短時間で固定でき、必要な時に交換が出来るように工夫された取付補助具が必要であった。
【００１２】
図１は本発明の取付補助具を壁面に取付け、更にその上から電波吸収体を取付け固定するところを示した図である。
【００１３】
実際の取付補助具の構造は中空の電波吸収体下端内側に取付補助具の側板を挿着し、電波吸収体の外側から固定ピンで固定する方法と、
【００１４】
電波吸収体の下端部を外側から取付補助具の側板で覆い、固定ピンで取付補助具と電波吸収体を固定する方法がある。
【００１５】
このようにして取付補助具は壁面や天井にネジで固定し、電波吸収体は取付補助具を用いて固定ピンで固定する為、接着剤で接合固着するまで長尺の電波吸収体を支えたり、待つ必要が無い。
【００１６】
電波吸収体を交換修理する場合は差し込んだ固定ピンを抜き取り外し、吸収特性の異なる物や損傷の無い電波吸収体に変えた後、固定ピンを差し込めばよい。
【００１７】
特にこの発明では取付補助具を不燃処理剤を混ぜた樹脂で作り、輸送時には平板になるように工夫してあり、輸送時にかさ張らないようにしてある。
【００１８】
この様にして、従来型の接着式に比べ、工事期間の短縮、取付け信頼性を向上させることが出来きる。
【００１９】
また、特に組立式のカーボン皮膜電波吸収体とすれば、輸送費を削減することができ、同時に本発明の取付補助具も輸送時に平板になるので、工事施工の場所までコンテナやトラックで輸送する場合、より一層その効果が発揮されます。
【００２０】
また、内部が中空の電波吸収体にあっては略ピラミッド形状底面の部材を省くことが出来るという特徴も備えています。
【発明の実施の形態】
【００２１】
図１において、本発明の取付補助具２は基部２ａと複数の側板２ｂと構成されており、基部２ａには壁面もしくは天井にビス３で取付ける為の取付け孔２ｃが複数個設けてあり、
【００２２】
側板２ｂには電波吸収体１を固定する為の固定孔２ｄが設けてあり、電波吸収体の外面根元に設けた孔１ａと合い、固定ピン４を挿入できるようにしてある。
【００２３】
以下、実施例を用いて本発明をさらに詳細に説明する。
図２は、本発明の取付補助具の展開状態を詳しく説明する図であって、実施例では難燃剤を混合したポリプロピレン成型材料で成型した物であり、各部の符号は図１と同じであり、正面図と右側面図を示す。
【００２４】
図２において、側板２ｂは略台形部分は基部２ａの４辺に同じように設けられており、側板２ｂは基部２ａとヒンジ２ｈで接合している。
【００２５】
また、この実施例では樹脂成型材料の節約と、必要な強度を保つ為基部２ａ、側板２ｂ共に蜘蛛の巣状に空隙を設けた例を示したあり、これらの空隙は必要に応じて適宜作られる。
【００２６】
側板２ｂには電波吸収体を固定する固定孔２ｄが側板２ｂの略中心部に設けてあるが、必要により複数個設けても良い。
【００２７】
側板２ｂの略台形部分の中心付近には長方形の孔２ｅが設けてあり、この孔には取付補助具基部２ａからヒンジを介して設けた固定台２ｆの先端突起２ｇと勘合するように配置してあり、孔２ｅを固定台の先端とあわせることで、取付補助具は立体的構造になる。
【００２８】
図３は図２の組み上がった立体的構造をを示す側面図であり、本発明の取付補助具２の基部２ａの外周にヒンジ２ｈで連続的に成型された側板２ｂを回転させるとともに、固定台２ｆを曲げ起こしその先端に設けた突起２ｇを側板２ｂの縦長の孔２ｅに勘合させる状態を示してある。
【００２９】
図４は組み上がった取付補助具に中空の抵抗損失電波吸収体１を挿着し、４辺の固定用の孔１ａから取付補助具の固定孔２ｄに固定ピン４を差し込んでいる。
【００３０】
この固定ピン４は色々な物が使用できるが、実施例では樹脂製の固定ピン４で、押し込むと先端が開き抜け止め防止になっている、繰り返し使用できる構造の物を用いた。
【００３１】
この他にも電波吸収に影響しない範囲の大きさで、金属製の固定ピン４を用いることも可能であり、限定するものでは無い。
【実施例】
（実施例１）
【００３２】
図５は本発明の他の実施例で発泡ウレタンフォームにカーボン粒子を含浸させた、誘電性電波吸収体の取付け例を示したもので、このような誘電性電波吸収体のピラミッドはカーボンを含浸させた発泡ウレタンフォームで充実しており、本発明の取付補助具はピラミッド形状の下端根元を覆うようにしており、固定孔２ｄより、長めの固定ピン４ａを差込固定した例である。
【００３３】
図５では各辺に１本の長めの固定ピン４ａを差込固定した実施例を示したが、各辺に複数個の固定孔２ｄを設け、それらに勘合する固定ピン４ａを必要なだけ用い固定しても良い。
【００３４】
図５の実施例では本発明の取付補助具２を電波吸収体１の下端根元部分を覆うようにして、固定ピン４で止めているが、発泡ウレタンフォームの様に電波吸収体内部に空間がない物でも、電波吸収体１の発泡ウレタンフォームの下端根元部分内側に切り込みを入れて、そこに本発明の取付補助具を差込、固定する事もできる。
【００３５】
また誘電性電波吸収体として、発泡ウレタンフォームの例を挙げたが、カーボン含有発泡ポリスチロールなどの場合も同様にして本発明の取付補助具を用いることで短時間で取付け固定することが可能になる。
【００３６】
図６は電波暗室を作る際に低い周波数帯域の電波を吸収させるため、フェライトタイルを貼ってから、損失誘電体もしくは導電性の抵抗皮膜の電波吸収体を取付ける時の例であり、取付補助具２の側板２ｂの表記は省略してある
【００３７】
フェライトタイルは予め、工場で１００ｍｍ角正方形のフェライトタイル９枚を金属の反射板に接着したパネル形状とした物を用いると短時間で取付ける事ができ、それらは４個の取付け孔にて壁や天井に固定するようにしてある。
【００３８】
前記取付け孔と本発明の取付補助具の取付け孔２ｃとは位置が一致するようにして有り、図６ではフェライトタイルを９枚１組にしたパネル６枚において、左側の４パネルの上に本発明の取付補助具２を取付けた正面図を示しており、低い周波数帯域から使用する電波暗室ではこの様なフェライトタイルを用いた磁性体の電波吸収体と導電性あるいは誘電性電波吸収体とを複合して壁面及び天井に取付けて使用することで、導電性あるいは誘電性電波吸収体の大きさを短縮でき必要な広さの電波暗室を作る時電波暗室の外側の面積や高さを小さくできることが知られている。
【００３９】
さらに、図７では図６の取付け状態を断面図で示したもので、ビス３によって壁面７に取付補助具２とフェライトタイル５と金属反射板６一緒に取付けた例である。
【００４０】
図７はさらに、略中空のピラミッド形状の電波吸収体１にはピラミッド形状の表面にカーボン粉末を一定量まぜた材料から作った導電性のカーボン皮膜１ｂを表面に貼った例を示しているが、必要によっては略中空のピラミッド形状の内面にカーボン皮膜１ｂを貼り付けて電波吸収体１としてもよく、図示ような正面方向や斜め方向から来る電波を吸収する。
【００４１】
また、図８は略四角形の本発明の取付補助具に隣り合った２辺にのみ、突起を設け、壁面や天井に規則正しい間隔で取付けることが出来るような凸部２ｇが設けられた例が示されている。この図でも側板２ｂは省略してある。
【００４２】
（実施例２）
図９は本発明の取付補助具２によって固定する電波吸収体１の他の実施例であり、２種類の略３角形板状のパネルを用いて組み立てた例が示されており、組み上がった略ピラミッド形状の先端部には固定及び保護用の部材８が取付けてあり、誤って略ピラミッド形状の先端に測定者が触れても、電波吸収体を保護するとともに、接触した測定者がけがをしないようにしてある。
【００４３】
図１０は図９の組立式電波吸収体組立前の分解状態を示す図であり、２種類の略３角形板状パネルの１方には複数の略長方形の孔１ｃが設けてあり、略３角形の板の他方には前記略長方形の角穴１ｃに勘合する突起１ｄが複数個設けてある。
【００４４】
これらの略３角形板状パネルの表面もしくは裏面にはカーボン粉末を一定量まぜた材料から作った導電性のカーボン皮膜（図示省略）が貼り付けてあり、組立は電波暗室を作る現場で行う事が可能で、運搬は略３角形の板と組立前板状の取付補助具２の状態で行う事が出来ます。
【００４５】
（実施例３）
図１１及び図１２は本発明の更なる他の実施例を示しており、図１１は組立前の展開状態で、図１２は実際に組み立てた使用状態である。
【００４６】
図１１において、本発明の取付補助具の基部２ａは略四角形の板状に成型したもので、外周の４辺には相対位置回転可能に連結するヒンジ２ｈによって側板２ｂが成型され、その両側には固定台２ｆがヒンジでつなげ成型してある。
【００４７】
前記固定台２ｆ根元には突起２ｇが設けてあり、基部２ａに設けた孔２ｅに差込固定するようにしてある。
【００４８】
また、前記基部２ａの四隅には組み立てた時に略Ｌ字状になる一対の部材２ｉと２ｊが設けてあり、取付固定した電波吸収体の取付位置が安定するようにしてある。
【００４９】
（実施例４）
図１３はまた更なる実施例であり、本発明の取付補助具において、基部２ａに対し側板２ｂを一体成型せずに、別々に樹脂成型した物で、基部２ａの４辺に相対位置変更可能に連結するように設けた凹部２ｋに側板２ｂの根元に設けた勘合溝２ｌを差込、本発明の取付補助具とした例を示している。
【００５０】
（実施例５）
図１４はまたまた更なる実施例であり、本発明の取付補助具で、基部２ａと側板２ｂとをヒンジ構造などを使わずに一体成型した例であり、側板２ｂは逆Ｖ字型にすることで、複数個の取付補助具を重ねた時、その体積が減るように重ねる設計がされており、工事現場までの輸送時の体積を減らすように設計してある。
【００５１】
また、これらの実施例では、取付補助具を略４角形とし、その４辺を折り曲げるようにし、略４角形であるとして説明したが、何も四角形や４辺の折り曲げに限定する必要はなく、多角形にした取付補助具であっても、同様の機能を破棄することができ、多角形もしくは円形であってもよい。
【００５２】
また、本発明では取付補助具をプラスチック成型品で作り、不要な部分をくり抜いた形状としたが、網目状の形状は、樹脂成型による成型に適した形状とし、この例以外の形状でも必要な強度を保つことが出来ればこれにこだわる必要は無い。
【００５３】
さらに、本発明の実施例では取付補助具を運搬時を考慮し平坦な板状に展開する例を示したが、運搬時に最小限の体積になるよう、重ねることが出来るような立体的な形状とすることもでき、
【００５４】
また上記以外の組合せとして、１つの取付補助具に複数個の略ピラミッド形状を１組にした電波吸収体を取付ける場合に用いても良く、それらを固定する固定ピンについても本数や配置を限定するものでは無く、また、実施例に示したようなウレタンフォーム（スポンジ）にカーボンを含浸させた略ピラミッド形状の内部が充実している電波吸収体の取付に使用する取付補助具においても本発明は適用でき、同様の効果を得る事が出来る。
【００５５】
なお、本発明の説明では図１〜図５、図８〜図１０、においては、１つの電波吸収体を表し、図６では複数のフェライト製の電波吸収体に本発明の取付補助具が４つ取付けた例が示され、さらに図７では２つの電波吸収体を示しているが、実際には電磁遮蔽されたシールド室の６面もしくは、床面を除く５面前面に電波吸収体を貼り付け電波暗室としており、本実施例の説明図では全体に貼り付けた電波暗室の実施例は省いている。
【００５６】
なお、実施例で示した略ピラミッド形状もしくは略くさび形状の電波吸収体以外であっても有効であり、特に誘電率の異なった多層構造の誘電性電波吸収体のようにブロック形状の場合であっても本発明の取付補助具を用いる事ができ、電波吸収体の形状にとらわれる事無く、本発明の取付補助具を用いれば同様の効果を得ることが出来ます。
【００５７】
【発明の効果】
以上詳細に説明したように、導電性電波吸収体並びに誘電性電波吸収体を電波暗室内の壁面や天井に固定する時、本発明の取付補助具を取付面と電波吸収体の間に配置することにより電波吸収体を短時間で所定の位置に固定することができ、
【００５８】
取付作業は接着固定するまでの足場や固定台を設けることも不要であり、取付ビスと固定ピンで行える。
【００５９】
また固定ピンを抜けば電波吸収体を取り外し、交換することも容易であり、長期の使用における電波吸収体の自重による垂れ下がり変形にも、壁面に固定ピンで固定した電波吸収体を上下反転させる事で解決できます。
【００６０】
また本発明の取付補助具は輸送状態では平板にすることが出来、輸送体積を軽減できるばかりか、取付工事現場で誰でも簡単に組立が出来、確実に固定できるようになり
【００６１】
従来のような接着剤を用いた固着に比べ、品質信頼性の不安を解消できるという特徴を持っています。
【図面の簡単な説明】
【図１】図１は本発明の構造概念を斜視図によって示した図
【図２】図２は本発明の取付補助具を展開し輸送するときの時の様子を説明する正面図及び右側面図。
【図３】図３は本発明の取付補助具の組み立て方を示す側面図である。
【図４】図４は本発明の取付補助具に抵抗損失体を貼った電波吸収体を取付けた状態を示す、側面断面図。
【図５】図５は本発明の取付補助具を用い、内部充実型の誘電性電波吸収体を固定した例を示す側面図。
【図６】図６はフェライトタイル電波吸収体の上に本発明の取付補助具を固定し、その上に導電性や誘電性の電波吸収体を取付ける時の様子を示す為に複数個整列し取付けた例を示す正面図（各取付補助具の四辺の折り曲げた部分は省略してある）。
【図７】図７は図６の実施例を示す側面断面図で、壁面にフェライト電波吸収体と本発明の取付補助具をビスで固定し、その上に抵抗損失体を貼り付けた、内部が略中空の電波吸収体を固定ピンで固定した実施例を示す図
【図８】本発明による取付補助具の隣り合った２辺に突起を設け、本発明の取付補助具が一定の間隔で壁面や天井に取付けられるようにした１つの形状を示す図。
【図９】本発明による取付補助具に取付ける電波吸収体の形状を組立式にした実施例を示した図。
【図１０】図１０は図９の組立式電波吸収体を組み立てる前の各部品の形状を示した図。
【図１１】図１１は本発明の他の実施例の取付補助具の展開、輸送状態を示す図。
【図１２】図１２は図１１の実施例を組立た図。
【図１３】図１３は本発明の他の実施例で、取付補助具の分解、輸送状態とその組み立て方が判る図。
【図１４】図１４はさらなる本発明の他の実施例で、取付補助具を一体に作った図。
【符号の説明】１
１、    導電性の抵抗皮膜もしくは誘電性材料を用いた電波吸収体
１ａ、  電波吸収体１の取付固定ピンを差し込む孔
１ｂ、  導電性の電波吸収体１の表面に貼った抵抗損失体としてのカーボン皮膜
１ｃ、  導電性電波吸収体１で組立式である中空の電波吸収体の組立勘合用の略長方形の角孔部分。
１ｄ、  導電性電波吸収体１で組立式である中空の電波吸収体の組立勘合用の突起部分
２、    本発明の取付補助具
２ａ、  略正方形の取付補助具の基になる基部
２ｂ、  基部２ａの外周付近に設け、基部に対し略垂直方向の面を持ち電波吸収体に密着する側板
２ｃ、  取付補助具の基部に設けた、壁面及ぶ天井に貼り付ける為のネジを挿入する複数の孔
２ｄ、  組み上がった本発明の取付補助具に電波吸収体を固定する為の固定ピンを挿入する側板２ｂに設けた固定孔
２ｅ、  取付補助具の側板２ｂを所定の位置に固定す為の孔
２ｆ、  側板２ｂを固定する固定台
２ｇ、  取付補助具の側板２ｂを所定の位置に固定する為の孔２ｅと勘合する突起
２ｈ、  取付補助具の外周付近に設けたヒンジ
２ｉ、２ｊ、  取付補助具の側板２ｂで４角の位置決めをする部材
２ｋ、  取付補助具の基部２に設けた、側板２ｂが挿入される凹部
２ｌ、  取付補助具の側板２ｂを基部２の凹部２ｈに勘合させる溝
３、    壁面及び天井に取付けるビス
４、    本発明の取付補助具に電波吸収体を固定する固定ピン
５、    フェライトタイル電波吸収体
５ａ、  フェライトタイルの取付け用孔
６、    フェライトタイル背面に工場で接着固定した金属反射板
７、    壁面
８、    略三角錐の組立式電波吸収体先端に付け先端を保護し、固定する部材
【図１】
2005032781.tif 000003
【図２】
2005032781.tif 000004
【図３】
2005032781.tif 000005
【図４】
2005032781.tif 000006
【図５】
2005032781.tif 000007
【図６】
2005032781.tif 000008
【図７】
2005032781.tif 000009
【図８】
2005032781.tif 000010
【図９】
2005032781.tif 000011
【図１０】
2005032781.tif 000012
【図１１】
2005032781.tif 000013
【図１２】
2005032781.tif 000014
【図１３】
2005032781.tif 000015
【図１４】
2005032781.tif 000016